(57)【要約】【課題】上面の開口に引き戸式の扉を極めて容易に取り付けることができるショーケースを提供する。【解決手段】ショーケース１は、上面が開口する断熱性の本体２と、この本体２の開口縁に立設された直線部透明壁１４を備えたものであって、相対向する一対の直線部透明壁１４、１４にそれぞれ取り付けられたレール部材２１、２１と、各レール部材２１、２１間に渡って設けられ、本体２の上面開口を開閉自在に閉塞する引き戸式の扉２２を備えたことを特徴とする。【選択図】図３
2018130139.tif 000002
【特許請求の範囲】
【請求項１】
上面が開口する断熱性の本体と、該本体の開口縁に立設された透明壁を備えたショーケースにおいて、
相対向する一対の前記透明壁にそれぞれ取り付けられたレール部材と、
各レール部材間に渡って設けられ、前記本体の上面開口を開閉自在に閉塞する引き戸式の扉を備えたことを特徴とするショーケース。
【請求項２】
前記レール部材は前記透明壁に着脱自在に嵌合されると共に、前記扉は前記レール部材に着脱自在に載置されることを特徴とする請求項１に記載のショーケース。
【請求項３】
前記扉は、前記各レール部材間の中央部に位置する部分が前記本体から離間する方向に突出するよう湾曲していることを特徴とする請求項１又は請求項２に記載のショーケース。
【請求項４】
前記透明壁は、前記本体の開口縁の四隅部に立設され、前記本体に固定されたコーナー部透明壁と、各コーナー部透明壁間に位置して前記本体の開口縁に挿入された直線部透明壁とから成り、
前記レール部材は、相対向する一対の前記直線部透明壁にそれぞれ取り付けられ、両端部は前記コーナー部透明壁まで渡ることを特徴とする請求項１乃至請求項３のうちの何れかに記載のショーケース。
【請求項５】
前記レール部材は、上下段違いで形成され、前記扉が摺動自在に載置される複数のレール部と、該レール部の下側に一体に形成された箱型形状部を有することを特徴とする請求項１乃至請求項４のうちの何れかに記載のショーケース。
【請求項６】
前記レール部材は硬質合成樹脂により成形されており、前記箱型形状部内には補強材を設けたことを特徴とする請求項５に記載のショーケース。
【請求項７】
前記透明壁は、前記本体の開口縁の四隅部に立設されたコーナー部透明壁と、各コーナー部透明壁間に位置して前記本体の開口縁に立設された直線部透明壁とから成り、
前記レール部材は、相対向する一対の前記直線部透明壁にそれぞれ取り付けられ、前記補強材の両端部は、前記レール部材から長手方向に突出すると共に、突出した各端部は、前記コーナー部透明壁の内面形状に沿った湾曲形状を呈することを特徴とする請求項６に記載のショーケース。
【発明の詳細な説明】
【技術分野】
【０００１】
本発明は、上面が開口する断熱性の本体を備えたショーケースに関する。
【背景技術】
【０００２】
従来より、スーパーマーケットやコンビニエンスストア等の店舗には、アイスクリーム等の冷凍食品を販売する等のために上面が開口した所謂平型のショーケースが多く用いられている。係る平型のショーケースには、引き戸式の扉が設けられているものと設けられていないものがあるが、繁忙期の販売効率を考慮すれば扉を設けない方が圧倒的に有利である。一方、夏季等の環境条件が悪化する状況では扉を設けた方が、陳列室内の冷却効率は向上する。
【０００３】
しかしながら、従来の扉はネジやボルトによってレールを取り付けなければならなかったため、専門の業者に依頼する必要があり、店舗側で作業することは困難であった。そこで、縦枠及び横枠から成る枠体と引戸を有した着脱式引戸をショーケースに設けられるようにしたものが開発されていた（例えば、特許文献１参照）。
【先行技術文献】
【特許文献】
【０００４】
【特許文献１】特開２００９−１７９６５号公報
【発明の概要】
【発明が解決しようとする課題】
【０００５】
しかしながら、四方組した枠体はショーケースの開口寸法と同じ大型なものとなるため、ショーケースに取り付ける作業は依然として極めて繁雑なものとなっていた。
【０００６】
本発明は、係る従来の技術的課題を解決するために成されたものであり、上面の開口に引き戸式の扉を極めて容易に取り付けることができるショーケースを提供することを目的とする。
【課題を解決するための手段】
【０００７】
本発明のショーケースは、上面が開口する断熱性の本体と、この本体の開口縁に立設された透明壁を備えたものであって、相対向する一対の透明壁にそれぞれ取り付けられたレール部材と、各レール部材間に渡って設けられ、本体の上面開口を開閉自在に閉塞する引き戸式の扉を備えたことを特徴とする。
【０００８】
請求項２の発明のショーケースは、上記発明においてレール部材は透明壁に着脱自在に嵌合されると共に、扉はレール部材に着脱自在に載置されることを特徴とする。
【０００９】
請求項３の発明のショーケースは、上記各発明において扉は、各レール部材間の中央部に位置する部分が本体から離間する方向に突出するよう湾曲していることを特徴とする。
【００１０】
請求項４の発明のショーケースは、上記各発明において透明壁は、本体の開口縁の四隅部に立設され、本体に固定されたコーナー部透明壁と、各コーナー部透明壁間に位置して本体の開口縁に挿入された直線部透明壁とから成り、レール部材は、相対向する一対の直線部透明壁にそれぞれ取り付けられ、両端部はコーナー部透明壁まで渡ることを特徴とする。
【００１１】
請求項５の発明のショーケースは、上記各発明においてレール部材は、上下段違いで形成され、扉が摺動自在に載置される複数のレール部と、これらレール部の下側に一体に形成された箱型形状部を有することを特徴とする。
【００１２】
請求項６の発明のショーケースは、上記発明においてレール部材は硬質合成樹脂により成形されており、箱型形状部内には補強材を設けたことを特徴とする。
【００１３】
請求項７の発明のショーケースは、上記発明において透明壁は、本体の開口縁の四隅部に立設されたコーナー部透明壁と、各コーナー部透明壁間に位置して本体の開口縁に立設された直線部透明壁とから成り、レール部材は、相対向する一対の直線部透明壁に取り付けられ、補強材の両端部は、レール部材から長手方向に突出すると共に、突出した各端部は、コーナー部透明壁の内面形状に沿った湾曲形状を呈することを特徴とする。
【発明の効果】
【００１４】
本発明によれば、上面が開口する断熱性の本体と、この本体の開口縁に立設された透明壁を備えたショーケースにおいて、相対向する一対の透明壁にそれぞれ取り付けられたレール部材と、各レール部材間に渡って設けられ、本体の上面開口を開閉自在に閉塞する引き戸式の扉を備えているので、扉が必要な場合には、レール部材を相対向する一対の透明壁にそれぞれ取り付け、取り付けたレール部材間に渡って扉を設けることで、ショーケースの上面開口を引き戸式の扉で開閉自在に閉塞することができるようになる。
【００１５】
一方、扉が不要な場合には、扉を外し、レール部材を透明壁から取り外すことで、ショーケースの上面開口から扉を撤去することができるようになるので、ショーケースの上面開口に扉を設けて使用するか、設けないで使用するかを、使用状況に応じて極めて容易に選択することができるようになる。
【００１６】
特に、請求項２の発明の如くレール部材を透明壁に着脱自在に嵌合して取り付けるようにし、扉はレール部材に着脱自在に載置するようにすることで、扉の取付と撤去作業は著しく容易となり、利便性が一段と向上する。
【００１７】
この場合、請求項３の発明の如く扉を、各レール部材間の中央部に位置する部分が本体から離間する方向に突出するよう湾曲させることで、一対の透明壁に取り付けられたレール部材間に渡って扉を設けても、扉が本体側に撓んでしまう不都合も生じない。
【００１８】
また、透明壁が、本体の開口縁の四隅部に立設され、本体に固定されたコーナー部透明壁と、各コーナー部透明壁間に位置して本体の開口縁に挿入された直線部透明壁とから構成される場合に、請求項４の発明の如くレール部材を、相対向する一対の直線部透明壁にそれぞれ取り付け、それらの両端部が本体に固定されたコーナー部透明壁まで渡るようにすることで、レール部材の取付強度も確保することが可能となる。
【００１９】
また、請求項５の発明の如くレール部材を、上下段違いで形成され、扉が摺動自在に載置される複数のレール部と、これらレール部の下側に一体に形成された箱型形状部を有する構造とすることで、レール部材自体の強度を確保し、レール部の平坦性を担保することが可能となる。
【００２０】
更に、請求項６の発明の如くレール部材が硬質合成樹脂により成形されている場合には、箱型形状部内に補強材を設けることでレール部材の撓みを阻止することができるようになる。
【００２１】
この場合、請求項７の発明の如く補強材の両端部をレール部材から長手方向に突出させ、突出した各端部が、コーナー部透明壁の内面形状に沿った湾曲形状を呈するようにすることで、レール部材を相対向する直線部透明壁に取り付けた際に、補強材の両端部がコーナー部透明壁の内面形状に沿うかたちとなるので、外観が向上すると共に、コーナー部透明壁側からレール部材の下側に塵埃が侵入する不都合も抑制することが可能となる。
【図面の簡単な説明】
【００２２】
【図１】本発明を適用したショーケースの正面図である。
【図２】図１のショーケースの平面図である。
【図３】図１のショーケースの縦断側面図である。
【図４】図１のショーケースのコーナー部分の拡大平面図である。
【図５】図１のショーケースの直線部透明壁部分の拡大断面図である。
【図６】図１のショーケースのレール部材の平面図である。
【図７】図１のショーケースのレール部材の正面図である。
【図８】図１のショーケースのレール部材の縦断側面図である。
【発明を実施するための形態】
【００２３】
以下、本発明の実施の形態について図面に基づき詳細に説明する。本発明を適用する実施例のショーケース１は、所謂平型の冷凍（又は冷蔵）オープンショーケースであり、上面が開口した断熱性の本体２から構成されている。この本体２は、断熱壁から成る前壁２Ａと、この前壁２Ａと対向する後壁２Ｂと、左右側壁２Ｃ、２Ｃと、底壁２Ｄから構成されており、前壁２Ａ、底壁２Ｄ及び後壁２Ｂの内側に間隔を存して設けられた仕切板３の外側にダクト４が構成され、仕切板３の内側が、上面に開口（即ち、本体２の開口）する陳列室６とされている。
【００２４】
底壁２Ｄ上のダクト４には冷却装置を構成する冷却器７と送風機８が配設されており、前壁２Ａの内側のダクト４上端には吐出口９が、後壁２Ｂの内側のダクト４上端には吸込口１１がそれぞれ形成されている。そして、冷却器７と熱交換した冷気が送風機８により吐出口９から吐出され、吸込口１１から吸い込まれることで、陳列室６内は所定の冷凍（又は冷蔵）温度に冷却されるように構成されている。
【００２５】
また、本体２の開口縁の四隅部には、透明アクリル板から成るコーナー部透明壁１３がそれぞれ立設され、本体２にネジにて固定されている。このコーナー部透明壁１３は図２や図４に示されるようにその内面が湾曲した形状とされている。
【００２６】
更に、本体２の開口縁を構成する前壁２Ａの上端及び後壁２Ｂの上端には、これも透明アクリル板から成る直線部透明壁１４がそれぞれ立設され、各壁２Ａ、２Ｂの上端に形成された溝に着脱可能に挿入されている。各直線部透明壁１４は各壁２Ａ、２Ｂ上端において長手方向に渡っており、その上面が平坦な板状を呈している。
【００２７】
更にまた、本体２の開口縁を構成する左右側壁２Ｃ、２Ｃの上端には、これも透明アクリル板から成る側面部透明壁１６がそれぞれ立設され、各壁２Ｃ、２Ｃの上端に形成された溝に着脱可能に挿入されている。各側面部透明壁１６は各壁２Ｃ、２Ｃ上端において長手方向に渡っており、その上面は中央部に位置する部分が本体２から離間する方向に突出した湾曲山型形状を呈している。そして、これら直線部透明壁１４と側面部透明壁１６は各コーナー部透明壁１４間に位置しており、これらによって本発明における風避け用の透明壁１７が構成される。これらコーナー部透明壁１３、直線部透明壁１４及び側面部透明壁１６から成る透明壁１７によって陳列室６の上面開口からの外気の侵入が抑制されることになる。
【００２８】
このような平型オープンショーケースであるショーケース１に、本発明のレール部材２１及び扉２２が着脱自在に取り付けられる。次に、これらレール部材２１と扉２２の構造とショーケース１への取付手順について説明する。
【００２９】
レール部材２１は、透明若しくは半透明な硬質合成樹脂の押出成形にて構成されており、図６乃至図８に示す如くその上面の内側に上下段違いで形成された二段（三段以上でもよい）のレール部２３、２４と、上面の外側に形成された下向きに開口する嵌合部２６と、各レール部２３、２４の下側及び外側に実施例では複数形成された箱型形状部２７、２８、２９を一体に有し、全体としては図６、図７に示す如く長尺の直線形状を呈し、直線部透明壁１４よりも長い寸法を有している。
【００３０】
また、レール部材２１の最も大きい箱型形状部２７内には、鋼板から成る補強材３１が挿入されている。この補強材３１は図５に示す如き断面門型を呈した長尺の板材であり、箱型形状部２７の内面に沿って挿入されると共に、その両端部３１Ａはレール部材２１から長手方向に突出し（レール部材２１よりも長い寸法を有する）、その外面はコーナー部透明壁１３の内面形状に沿った湾曲形状とされている（図４参照）。
【００３１】
他方、扉２２は引き戸式の扉を構成するために実施例では四枚使用される。各扉２２は透明アクリル板から成り、全体としてはその中央部（レール部材２１、２２間の中央部に位置する部分）が本体２から離間する方向に突出するかたちで湾曲しており、側面部透明壁１６の上面形状に略合致した断面形状を呈している。
【００３２】
以上の構成で、次にレール部材２１及び扉２２をショーケース１に取り付ける手順について説明する。店舗の繁忙期等に扉２２を使用せず、ショーケース１をオープンショーケースとして使用している状態から、冷却効率を考慮して扉２２をショーケース１に取り付ける必要が生じた場合には、先ず、前壁２Ａと後壁２Ｂの上端に立設された各直線部透明壁１４にそれぞれレール部材２１を取り付ける。
【００３３】
その際には、レール部材２１の嵌合部２６を直線部透明壁１４に被せるかたちで図５の如く嵌合させる。これにより、レール部材２１は相対向する前壁２Ａと後壁２Ｂの各直線部透明壁１４、１４にそれぞれ着脱自在に取り付けられる。この状態で、各レール部材２１のレール部２３、２４は直線部透明壁１４の陳列室６側に位置して長手方向に延在するかたちとなる。
【００３４】
また、レール部材２１の両端部は直線部透明壁１４から図４に示す如くコーナー部透明壁１３まで渡っており、嵌合部２６の両端部は各コーナー部透明壁１３、１３にも着脱自在に嵌合する。更に、補強材３１の両端部３１Ａは同図に示す如くコーナー部透明壁１３の内側に沿うかたちでそれに対向する。
【００３５】
このように、レール部材２１を各直線部透明壁１４、１４に取り付けた後、扉２２を対向するレール部材２１、２１間に渡って設ける。この場合、両外側となる扉２２、２２の端部を下段となるレール部２３上に摺動且つ着脱自在に載置し、内側となる扉２２、２２の端部を上段となるレール部２４上に摺動且つ着脱自在に載置する。これにより、ショーケース１の陳列室６の上面開口は、引き戸式の扉２２によって開閉自在に閉塞されることになる。
【００３６】
尚、繁忙期等に扉２２を必要としない場合には、上側となる扉２２から持ち上げ、四枚の扉２２を全て取り外す。次に、各レール部材２１を直線部透明壁１４から上方に引き抜き、取り外すことでショーケース１を本来の平型オープンショーケースとして使用することができるようになる。
【００３７】
以上詳述した如く、本発明では上面が開口する断熱性の本体２と、この本体２の開口縁に立設された透明壁１７（１３、１４、１６）を備えたショーケース１において、相対向する一対の直線部透明壁１４、１４にそれぞれ取り付けられたレール部材２１と、各レール部材２１間に渡って設けられ、本体２内に構成した陳列室６の上面開口を開閉自在に閉塞する引き戸式の扉２２を備えているので、扉２２が必要な場合には、レール部材２１を相対向する一対の直線部透明壁１４、１４にそれぞれ取り付け、取り付けたレール部材２１、２１間に渡って扉２２を設けることで、ショーケース１の本体２内に構成された陳列室６の上面開口を引き戸式の扉２２で開閉自在に閉塞することができるようになる。
【００３８】
一方、扉２２が不要な場合には、扉２２を外し、レール部材２１を直線部透明壁１４から取り外すことで、ショーケース１の本体２内に構成された陳列室６の上面開口から扉２２を撤去することができるようになるので、ショーケース１の本体２内に構成された陳列室６の上面開口に扉２２を設けて使用するか、設けないで使用するかを、使用状況に応じて極めて容易に選択することができるようになる。
【００３９】
特に、実施例ではレール部材２１を直線部透明壁１４に着脱自在に嵌合して取り付けるようにし、扉２２はレール部材２１に着脱自在に載置するようにしているので、扉２２の取付と撤去作業は著しく容易となり、利便性が一段と向上する。
【００４０】
この場合、実施例では扉２２を、各レール部材２１、２１間の中央部に位置する部分が本体２から離間する方向に突出するよう湾曲させているので、一対の直線部透明壁１４、１４に取り付けられたレール部材２１、２１間に渡って扉２２を設けても、扉２２が本体２側に撓んでしまう不都合も生じない。
【００４１】
また、透明壁１７を、本体２の開口縁の四隅部に立設され、本体２に固定されたコーナー部透明壁１３と、各コーナー部透明壁１３、１３間に位置して本体２の開口縁に挿入された直線部透明壁１４とから構成し、レール部材２１を、相対向する一対の直線部透明壁１４、１４にそれぞれ取り付け、それらの両端部が本体２に固定されたコーナー部透明壁１３、１３まで渡るようにしているので、レール部材２１の取付強度も確保することが可能となる。
【００４２】
また、実施例のレール部材２１は、上下段違いで形成され、扉２２が摺動自在に載置される二段（複数）のレール部２３、２４と、これらレール部２３、２４の下側に一体に形成された箱型形状部２７を有する構造とされているので、レール部材２１自体の強度を確保し、レール部２３、２４の平坦性を担保することが可能となる。
【００４３】
更に、実施例ではレール部材２１を硬質合成樹脂により成形しており、更に箱型形状部２７内には補強材３１を設けているので、レール部材２１の撓みも阻止することができるようになる。
【００４４】
また、補強材３１の両端部３１Ａはレール部材２１から長手方向に突出しており、突出した各端部３１Ａ、３１Ａは、コーナー部透明壁１３の内面形状に沿った湾曲形状を呈しているので、レール部材２１を相対向する直線部透明壁１４、１４に取り付けた際に、補強材３１の両端部３１Ａ、３１Ａがコーナー部透明壁１３の内面形状に沿うかたちとなる。これにより、外観が向上すると共に、コーナー部透明壁１３側からレール部材２１の下側に塵埃が侵入する不都合も抑制することが可能となる。
【００４５】
尚、実施例ではコーナー部透明壁１３や直線部透明壁１４、側面部透明壁１６を透明アクリル板にて構成したが、透明板ガラスにより構成してもよい。その他、レール部材２１や扉２２の具体的な構成は、本発明の趣旨を逸脱しない範囲で種々変更可能であることは云うまでもない。
【符号の説明】
【００４６】
１  ショーケース
２  本体
２Ａ  前壁
２Ｂ  後壁
６  陳列室
１３  コーナー部透明壁
１４  直線部透明壁
１７  透明壁
２１  レール部材
２２  扉
２３、２４  レール部
２６  嵌合部
２７  箱型形状部
３１  補強材
【図１】
2018130139.tif 000003
【図２】
2018130139.tif 000004
【図３】
2018130139.tif 000005
【図４】
2018130139.tif 000006
【図５】
2018130139.tif 000007
【図６】
2018130139.tif 000008
【図７】
2018130139.tif 000009
【図８】
2018130139.tif 000010